(57)【要約】【課題】移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対する再接続手順を行う場合であっても、通信を継続する。【解決手段】本発明に係る移動通信方法は、上述の状態で、移動局ＵＥが、かかるベアラにおけるＲＬＦを検出した場合、「ｅｘｔｅｎｄｅｄ  ＰＤＣＰ-ＳＮ」についての設定をリセットする工程と、「ｅｘｔｅｎｄｅｄ  ＰＤＣＰ-ＳＮ」に対応していない無線基地局Ｔ-ｅＮＢとの間で、再接続手順を行うことによって、「従来のＰＤＣＰ-ＳＮ」を用いたベアラを確立する工程とを有する。【選択図】図４
2014023044.tif 000002
【特許請求の範囲】
【請求項１】
移動局と第１無線基地局との間で、ＰＤＣＰレイヤにおけるシーケンス番号として拡張シーケンス番号を用いたベアラが確立されている状態で、該移動局が、該第１無線基地局との間の無線リンクにおける無線リンク障害を検出した場合、該拡張シーケンス番号についての設定及びＣＯＵＮＴ値をリセットする工程と、
前記拡張シーケンス番号に対応していない第２無線基地局との間で、再接続手順を行うことによって、該拡張シーケンス番号よりも短いシーケンス番号である通常シーケンス番号を用いたベアラを確立する工程とを有することを特徴とする移動通信方法。
【請求項２】
移動局と第１無線基地局との間で、ＰＤＣＰレイヤにおけるシーケンス番号として拡張シーケンス番号を用いたベアラが確立されている状態で、該移動局が、該第１無線基地局との間の無線リンクにおける無線リンク障害を検出した場合、該拡張シーケンス番号に対応していない第２無線基地局との間で、再接続手順を行うことによって、該拡張シーケンス番号よりも短いシーケンス番号である通常シーケンス番号を用いたベアラを確立する工程と、
前記拡張シーケンス番号についての設定及びＣＯＵＮＴ値をリセットする工程とを有することを特徴とする移動通信方法。
【請求項３】
再接続手順を行うように構成されている再接続手順部を具備しており、
前記再接続手順部は、第１無線基地局との間で、ＰＤＣＰレイヤにおけるシーケンス番号として拡張シーケンス番号を用いたベアラが確立されている状態で、該第１無線基地局との間の無線リンクにおける無線リンク障害を検出した場合、該拡張シーケンス番号についての設定及びＣＯＵＮＴ値をリセットした後、該拡張シーケンス番号に対応していない第２無線基地局との間で、再接続手順を行うことによって、該拡張シーケンス番号よりも短いシーケンス番号である通常シーケンス番号を用いたベアラを確立するように構成されていることを特徴とする移動局。
【請求項４】
再接続手順を行うように構成されている再接続手順部を具備しており、
前記再接続手順部は、第１無線基地局との間で、ＰＤＣＰレイヤにおけるシーケンス番号として拡張シーケンス番号を用いたベアラが確立されている状態で、該第１無線基地局との間の無線リンクにおける無線リンク障害を検出した場合、該拡張シーケンス番号に対応していない第２無線基地局との間で、再接続手順を行うことによって、該拡張シーケンス番号よりも短いシーケンス番号である通常シーケンス番号を用いたベアラを確立し、前記拡張シーケンス番号についての設定及びＣＯＵＮＴ値をリセットするように構成されていることを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式に対応する無線基地局ｅＮＢ及び移動局ＵＥは、図６に示すように、ＰＨＹ（物理）レイヤと、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＲＲＣ（Ｒａｄｉｏ  Ｒｅｓｏｕｒｃｅ  Ｃｏｎｔｒｏｌ）レイヤとを有している。
【０００３】
ＰＤＣＰレイヤは、秘匿処理や改竄検出処理やヘッダ圧縮処理を行うように構成されている。
【０００４】
ここで、秘匿処理及び改竄検出処理では、ＣＯＵＮＴ値が用いられる。図７に示すように、かかるＣＯＵＮＴ値は、ＨＦＮ（Ｈｙｐｅｒ  Ｆｒａｍｅ  Ｎｕｍｂｅｒ）とＰＤＣＰ-ＳＮ（Ｓｅｑｕｎｅｃｅ  Ｎｕｍｂｅｒ）」とによって構成されている。
【０００５】
ＰＤＣＰ-ＳＮは、１２ビット又は７ビットで構成されており、ＰＤＣＰレイヤによってＲＬＣに対してパケットが送出される度にインクリメントされるように構成されている。
【０００６】
また、ＨＦＮは、２０ビット又は２５ビットで構成されており、ＰＤＣＰ-ＳＮが周回する度にインクリメントされるように構成されている。
【０００７】
なお、送信側のＰＤＣＰレイヤと受信側のＰＤＣＰレイヤとの間で、ＣＯＵＮＴ値が同期していなければ、受信側のＰＤＣＰレイヤにおいて、正しく解匿処理を行うことができない。
【０００８】
具体的には、送信側のＰＤＣＰレイヤは、ＲＲＣレイヤから受け取ったパケット（ＰＤＣＰ-ＳＤＵ）に対して、ＣＯＵＮＴ値を用いて、秘匿処理（ヘッダ圧縮処理及び改竄検出処理）を施し、ヘッダにＰＤＣＰ-ＳＮを付与することによって、ＰＤＣＰ-ＰＤＵとしてＲＬＣレイヤに送出するように構成されている。
【０００９】
一方、受信側のＰＤＣＰレイヤは、受信ウィンドウを管理しており、図８に示すように、受信したパケット（ＰＤＣＰ-ＰＤＵ）に付与されているＰＤＣＰ-ＳＮが受信ウィンドウ外のＰＤＣＰ-ＳＮであれば、かかるパケットを破棄するように構成されている。
【００１０】
なお、受信側のＰＤＣＰレイヤは、受信したパケット（ＰＤＣＰ-ＰＤＵ）に付与されているＰＤＣＰ-ＳＮが受信ウィンドウ内のＰＤＣＰ-ＳＮであれば、現在の受信状態から、かかるパケットの解匿処理に用いるべきＨＦＮを推測し、かかるパケットに対して、推測したＨＦＮを用いて解匿処理を施すことによって得られたパケット（ＰＤＣＰ-ＳＤＵ）を上位レイヤに送出し、受信ウィンドウを更新するように構成されている。
【００１１】
図９及び図１０に示すように、再接続手順が完了すると、送信側のＰＤＣＰレイヤは、ＲＬＣレイヤで送達確認がとれていないパケットの全てについての送信を開始する。
【００１２】
受信側のＰＤＣＰレイヤは、「ｏｕｔ-ｏｆ-ｓｅｑｕｅｎｃｅ」状態であっても、上位に送出できるパケットについては全て上位レイヤに送出し、再接続手順が完了した後に、再び受信ウィンドウ内での受信を試みる。
【００１３】
また、再接続手順が完了した後に、受信側のＰＤＣＰレイヤは、「ＰＤＣＰ  ｓｔａｔｕｓ  ｒｅｐｏｒｔ」により、「ＰＤＣＰ-ＳＮ」についての受信状況を報告可能であり、送信側のＰＤＣＰレイヤは、受信済みのパケットの送信をキャンセルすることも可能である。
【００１４】
図１１及び図１２に示すように、無線基地局Ｓ-ｅＮＢは、無線基地局Ｔ-ｅＮＢに対して、ＲＬＣ-ＡＣＫが確認されていないＰＤＣＰ-ＳＤＵを転送するが、例えば、大量のＰＤＣＰ-ＰＤＵがＲＬＣ-ＰＤＵに多重されていると、無線基地局Ｔ-ｅＮＢと移動局ＵＥとの間で「ＨＦＮ  ｍｉｓｍａｔｃｈ」が発生し、受信側における解匿処理が失敗し、正常なパケットを抽出することができなくなるという問題点があった。
【００１５】
特に、１個のＲＬＣ-ＰＤＵに対して大量のＰＤＣＰ-ＰＤＵが多重されるような場合には、ＲＬＣ-ＡＣＫが受信されずに転送されるＰＤＣＰ-ＰＤＵの数が多くなるため、「ＨＦＮ  ｍｉｓｍａｔｃｈ」が発生する可能性が高くなる。
【００１６】
例えば、伝送レートが高い場合、或いは、ＰＤＣＰ-ＳＤＵのサイズが非常に小さいパケットが大量に発生する場合等に、「ＨＦＮ  ｍｉｓｍａｔｃｈ」が発生する可能性が高くなる。
【００１７】
そこで、かかる「ＨＦＮ  ｍｉｓｍａｔｃｈ」の発生を回避するために、ＰＤＣＰ-ＳＮ長を拡張すること、すなわち、「従来のＰＤＣＰ-ＳＮ（図１３（ａ）参照）」よりも長いシーケンス番号である「ｅｘｔｅｎｄｅｄ  ＰＤＣＰ-ＳＮ（図１３（ｂ）参照）」を採用することが提案されている（非特許文献３）。
【００１８】
「ｅｘｔｅｎｄｅｄ  ＰＤＣＰ-ＳＮ」を用いることで、ＰＤＣＰ-ＳＮが一巡し難くなるため、「ＨＦＮ  ｍｉｓｍａｔｃｈ」が発生しにくくなる。
【００１９】
なお、「ｅｘｔｅｎｄｅｄ  ＰＤＣＰ-ＳＮ」を用いることについては、無線基地局ｅＮＢが、移動局ＵＥに対して、ＲＲＣシグナリングを介して指定するように構成されている。
【先行技術文献】
【非特許文献】
【００２０】
【非特許文献１】３ＧＰＰ  ＴＳ３６.３２２
【非特許文献２】３ＧＰＰ  ＴＳ３６.３２３
【非特許文献３】３ＧＰＰ寄書  Ｒ２-１２２６５１
【発明の概要】
【発明が解決しようとする課題】
【００２１】
しかしながら、図１４に示すように、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応している無線基地局Ｔ-ｅＮＢに対する再接続手順を行う場合には、移動局ＵＥと無線基地局Ｔ-ｅＮＢとの間で使用するＰＤＣＰ-ＳＮ長が異なるため、通信を継続することができないという問題点があった。
【００２２】
そこで、本発明は、上述の課題に鑑みてなされたものであり、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対する再接続手順を行う場合であっても、通信を継続することができる移動通信方法及び移動局を提供することを目的とする。
【課題を解決するための手段】
【００２３】
本発明の第１の特徴は、移動通信方法であって、移動局と第１無線基地局との間で、ＰＤＣＰレイヤにおけるシーケンス番号として拡張シーケンス番号を用いたベアラが確立されている状態で、該移動局が、該第１無線基地局との間の無線リンクにおける無線リンク障害を検出した場合、該拡張シーケンス番号についての設定及びＣＯＵＮＴ値をリセットする工程と、前記拡張シーケンス番号に対応していない第２無線基地局との間で、再接続手順を行うことによって、該拡張シーケンス番号よりも短いシーケンス番号である通常シーケンス番号を用いたベアラを確立する工程とを有することを要旨とする。
【００２４】
本発明の第２の特徴は、移動通信方法であって、移動局と第１無線基地局との間で、ＰＤＣＰレイヤにおけるシーケンス番号として拡張シーケンス番号を用いたベアラが確立されている状態で、該移動局が、該第１無線基地局との間の無線リンクにおける無線リンク障害を検出した場合、該拡張シーケンス番号に対応していない第２無線基地局との間で、再接続手順を行うことによって、該拡張シーケンス番号よりも短いシーケンス番号である通常シーケンス番号を用いたベアラを確立する工程と、前記拡張シーケンス番号についての設定及びＣＯＵＮＴ値をリセットする工程とを有することを要旨とする。
【００２５】
本発明の第３の特徴は、移動局であって、再接続手順を行うように構成されている再接続手順部を具備しており、前記再接続手順部は、第１無線基地局との間で、ＰＤＣＰレイヤにおけるシーケンス番号として拡張シーケンス番号を用いたベアラが確立されている状態で、該第１無線基地局との間の無線リンクにおける無線リンク障害を検出した場合、該拡張シーケンス番号についての設定及びＣＯＵＮＴ値をリセットした後、該拡張シーケンス番号に対応していない第２無線基地局との間で、再接続手順を行うことによって、該拡張シーケンス番号よりも短いシーケンス番号である通常シーケンス番号を用いたベアラを確立するように構成されていることを要旨とする。
【００２６】
本発明の第４の特徴は、移動局であって、再接続手順を行うように構成されている再接続手順部を具備しており、前記再接続手順部は、第１無線基地局との間で、ＰＤＣＰレイヤにおけるシーケンス番号として拡張シーケンス番号を用いたベアラが確立されている状態で、該第１無線基地局との間の無線リンクにおける無線リンク障害を検出した場合、該拡張シーケンス番号に対応していない第２無線基地局との間で、再接続手順を行うことによって、該拡張シーケンス番号よりも短いシーケンス番号である通常シーケンス番号を用いたベアラを確立し、前記拡張シーケンス番号についての設定及びＣＯＵＮＴ値をリセットするように構成されていることを要旨とする。
【発明の効果】
【００２７】
以上説明したように、本発明によれば、移動局ＵＥが、「ｅｘｔｅｎｄｅｄ  ＰＤＣＰ-ＳＮ」に対応している無線基地局Ｓ-ｅＮＢとの間で通信している状態で、「ｅｘｔｅｎｄｅｄ  ＰＤＣＰ-ＳＮ」に対応していない無線基地局Ｔ-ｅＮＢに対する再接続手順を行う場合であっても、通信を継続することができる移動通信方法及び移動局を提供することができる。
【図面の簡単な説明】
【００２８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の変更例１に係る移動通信システムの動作を示すシーケンス図である。
【図６】従来の移動通信システムについて説明するための図である。
【図７】従来の移動通信システムについて説明するための図である。
【図８】従来の移動通信システムについて説明するための図である。
【図９】従来の移動通信システムについて説明するための図である。
【図１０】従来の移動通信システムについて説明するための図である。
【図１１】従来の移動通信システムについて説明するための図である。
【図１２】従来の移動通信システムについて説明するための図である。
【図１３】従来の移動通信システムについて説明するための図である。
【図１４】従来の移動通信システムについて説明するための図である。
【発明を実施するための形態】
【００２９】
（本発明の第１の実施形態に係る移動通信システム）
図１乃至図４を参照して、本発明の第１の実施形態に係る移動通信システムについて説明する。
【００３０】
本実施形態では、ＬＴＥ方式の移動通信システムを例に挙げて説明するが、本発明は、かかる移動通信システムに限定されず、他の方式の移動通信システムにも適用可能である。
【００３１】
図１に示すように、本実施形態に係る移動通信システムは、「ｅｘｔｅｎｄｅｄ  ＰＤＣＰ-ＳＮ」に対応している無線基地局Ｓ-ｅＮＢと、「ｅｘｔｅｎｄｅｄ  ＰＤＣＰ-ＳＮ」に対応していない、すなわち、「従来のＰＤＣＰ-ＳＮ」にのみ対応している無線基地局Ｔ-ｅＮＢとを具備している。
【００３２】
図２に示すように、本実施形態に係る無線基地局ｅＮＢは、再接続手順部１１を具備している。再接続手順部１１は、移動局ＵＥの再接続手順に係る処理を行うように構成されている。
【００３３】
図３に示すように、本実施形態に係る移動局ＵＥは、移動局ＵＥは、再接続手順部２１を具備している。再接続手順部２１は、移動局ＵＥの再接続手順に係る処理を行うように構成されている。
【００３４】
再接続手順部２１は、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦ（Ｒａｄｉｏ  Ｌｉｎｋ  Ｆａｉｌｕｒｅ）を検出した場合、「ｅｘｔｅｎｄｅｄ  ＰＤＣＰ-ＳＮ」についての設定（及び、ＣＯＵＮＴ値）をリセットした後、「ｅｘｔｅｎｄｅｄ  ＰＤＣＰ-ＳＮ」に対応していない無線基地局Ｔ-ｅＮＢに対する再接続手順を行うことによって、「従来のＰＤＣＰ-ＳＮ」を用いたベアラを確立するように構成されている。
【００３５】
以下、図４を参照して、本実施形態に係る移動通信システムの動作について説明する。
【００３６】
図４に示すように、ステップＳ１００１において、移動局ＵＥは、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦを検出した場合、無線基地局Ｔ-ｅＮＢに対する再接続手順を行うことを決定する。
【００３７】
ここで、移動局ＵＥは、ＣＯＵＮＴ値をリセットすると共に、「ｅｘｔｅｎｄｅｄ  ＰＤＣＰ-ＳＮ」についての設定についてもリセットする。
【００３８】
ステップＳ１００２において、移動局ＵＥは、無線基地局Ｔ-ｅＮＢに対して「ＲＡ  ｐｒｅａｍｂｌｅ」を送信し、ステップＳ１００３において、無線基地局Ｔ-ｅＮＢは、移動局ＵＥに対して「ＲＡ  ｒｅｓｐｏｎｓｅ」を送信する。
【００３９】
ステップＳ１００４において、移動局ＵＥは、無線基地局Ｔ-ｅＮＢに対して「ＲＲＣ  ｃｏｎｎｅｃｔｉｏｎ  ｒｅ-ｅｓｔａｂｌｉｓｈｍｅｎｔ  ｒｅｑｕｅｓｔ」を送信し、ステップＳ１００５において、無線基地局Ｔ-ｅＮＢは、移動局ＵＥに対して「ＲＲＣ  ｃｏｎｎｅｃｔｉｏｎ  ｒｅ-ｅｓｔａｂｌｉｓｈｍｅｎｔ」を送信する。
【００４０】
ステップＳ１００６において、移動局ＵＥは、無線基地局Ｔ-ｅＮＢに対して「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信し、ステップＳ１００７において、無線基地局Ｔ-ｅＮＢは、移動局ＵＥに対して「ＲＲＣ  ｃｏｎｎｅｃｔｉｏｎ  ｒｅｃｏｎｆｉｇｕｒａｔｉｏｎ」を送信し、ステップＳ１００８において、移動局ＵＥは、無線基地局Ｔ-ｅＮＢに対して「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００４１】
本実施形態に係る移動通信システムによれば、移動局ＵＥが、無線基地局Ｔ-ｅＮＢに対する再接続手順を行うことを決定した際に、「ｅｘｔｅｎｄｅｄ  ＰＤＣＰ-ＳＮ」についての設定を忘れ、無線基地局Ｔ-ｅＮＢとの間で「従来のＰＤＣＰ-ＳＮ」を用いたベアラを確立することができ、通信を継続することができる。
【００４２】
（変更例１）
図５を参照して、本発明の変更例１に係る移動通信システムについて、上述の第１の実施形態に係る移動通信システムとの相違点に着目して説明する。
【００４３】
本変更例１に係る移動通信システムでは、再接続手順部２１は、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦを検出した場合、「ｅｘｔｅｎｄｅｄ  ＰＤＣＰ-ＳＮ」に対応していない無線基地局Ｔ-ｅＮＢとの間で、再接続手順を行うことによって、「従来のＰＤＣＰ-ＳＮ」を用いたベアラを確立し、「ｅｘｔｅｎｄｅｄ  ＰＤＣＰ-ＳＮ」についての設定及びＣＯＵＮＴ値をリセットするように構成されている。
【００４４】
以下、図５を参照して、本変更例１に係る移動通信システムの動作について説明する。
【００４５】
図５に示すように、ステップＳ２００１において、移動局ＵＥは、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦを検出した場合、無線基地局Ｔ-ｅＮＢに対する再接続手順を行うことを決定する。
【００４６】
ステップＳ２００２において、移動局ＵＥは、無線基地局Ｔ-ｅＮＢに対して「ＲＡ  ｐｒｅａｍｂｌｅ」を送信し、ステップＳ２００３において、無線基地局Ｔ-ｅＮＢは、移動局ＵＥに対して「ＲＡ  ｒｅｓｐｏｎｓｅ」を送信する。
【００４７】
ステップＳ２００４において、移動局ＵＥは、無線基地局Ｔ-ｅＮＢに対して「ＲＲＣ  ｃｏｎｎｅｃｔｉｏｎ  ｒｅ-ｅｓｔａｂｌｉｓｈｍｅｎｔ  ｒｅｑｕｅｓｔ」を送信し、ステップＳ２００５において、無線基地局Ｔ-ｅＮＢは、移動局ＵＥに対して「ＲＲＣ  ｃｏｎｎｅｃｔｉｏｎ  ｒｅ-ｅｓｔａｂｌｉｓｈｍｅｎｔ」を送信する。
【００４８】
ステップＳ２００６において、移動局ＵＥは、無線基地局Ｔ-ｅＮＢに対して「ＲＲＣ  ｃｏｎｎｅｃｔｉｏｎ  ｒｅ-ｅｓｔａｂｌｉｓｈｍｅｎｔ  ｃｏｍｐｌｅｔｅ」を送信し、ステップＳ２００７において、無線基地局Ｔ-ｅＮＢは、移動局ＵＥに対して「ＲＲＣ  ｃｏｎｎｅｃｔｉｏｎ  ｒｅｃｏｎｆｉｇｕｒａｔｉｏｎ」を送信する。
【００４９】
ここで、移動局ＵＥは、「ＲＲＣ  ｃｏｎｎｅｃｔｉｏｎ  ｒｅｃｏｎｆｉｇｕｒａｔｉｏｎ」内に「ｅｘｔｅｎｄｅｄ  ＰＤＣＰ-ＳＮ」を使用するように指示する情報要素が含まれていない場合には、ＣＯＵＮＴ値をリセットすると共に、「ｅｘｔｅｎｄｅｄ  ＰＤＣＰ-ＳＮ」についての設定についてもリセットする。
【００５０】
ステップＳ２００８において、移動局ＵＥは、無線基地局Ｔ-ｅＮＢに対して「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００５１】
本変更例１に係る移動通信システムによれば、移動局ＵＥが、無線基地局Ｔ-ｅＮＢに対する再接続手順を行うことを決定した際に、かかる再接続手順において受信した「ＲＲＣ  ｃｏｎｎｅｃｔｉｏｎ  ｒｅｃｏｎｆｉｇｕｒａｔｉｏｎ」の内容に基づいて、「ｅｘｔｅｎｄｅｄ  ＰＤＣＰ-ＳＮ」についての設定を忘れ、無線基地局Ｔ-ｅＮＢとの間で「従来のＰＤＣＰ-ＳＮ」を用いたベアラを確立することができ、通信を継続することができる。
【００５２】
以上に述べた本実施形態の特徴は、以下のように表現されていてもよい。
【００５３】
本実施形態の第１の特徴は、移動通信方法であって、移動局ＵＥと無線基地局Ｓ-ｅＮＢ（第１無線基地局）との間で、ＰＤＣＰレイヤにおけるシーケンス番号として「ｅｘｔｅｎｄｅｄ  ＰＤＣＰ-ＳＮ（拡張シーケンス番号）」を用いたベアラが確立されている状態で、移動局ＵＥが、無線基地局Ｓ-ｅＮＢとの間の無線リンクにおけるＲＬＦ（無線リンク障害）を検出した場合、「ｅｘｔｅｎｄｅｄ  ＰＤＣＰ-ＳＮ」についての設定及びＣＯＵＮＴ値をリセットする工程と、「ｅｘｔｅｎｄｅｄ  ＰＤＣＰ-ＳＮ」に対応していない無線基地局Ｔ-ｅＮＢ（第２無線基地局）との間で、再接続手順を行うことによって、「ｅｘｔｅｎｄｅｄ  ＰＤＣＰ-ＳＮ」よりも短いシーケンス番号である「従来のＰＤＣＰ-ＳＮ（通常シーケンス番号）」を用いたベアラを確立する工程とを有することを要旨とする。
【００５４】
本実施形態の第２の特徴は、移動通信方法であって、移動局ＵＥと無線基地局Ｓ-ｅＮＢとの間で、「ｅｘｔｅｎｄｅｄ  ＰＤＣＰ-ＳＮ」を用いたベアラが確立されている状態で、移動局ＵＥが、無線基地局Ｓ-ｅＮＢとの間の無線リンクにおけるＲＬＦを検出した場合、「ｅｘｔｅｎｄｅｄ  ＰＤＣＰ-ＳＮ」に対応していない無線基地局Ｔ-ｅＮＢとの間で、再接続手順を行うことによって、「従来のＰＤＣＰ-ＳＮ」を用いたベアラを確立する工程と、「ｅｘｔｅｎｄｅｄ  ＰＤＣＰ-ＳＮ」についての設定及びＣＯＵＮＴ値をリセットする工程とを有することを要旨とする。
【００５５】
本実施形態の第３の特徴は、移動局ＵＥであって、再接続手順を行うように構成されている再接続手順部２１を具備しており、再接続手順部２１は、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦを検出した場合、「ｅｘｔｅｎｄｅｄ  ＰＤＣＰ-ＳＮ」についての設定及びＣＯＵＮＴ値をリセットした後、「ｅｘｔｅｎｄｅｄ  ＰＤＣＰ-ＳＮ」に対応していない無線基地局Ｔ-ｅＮＢとの間で、再接続手順を行うことによって、「従来のＰＤＣＰ-ＳＮ」を用いたベアラを確立するように構成されていることを要旨とする。
【００５６】
本実施形態の第４の特徴は、移動局ＵＥであって、再接続手順を行うように構成されている再接続手順部２１を具備しており、再接続手順部２１は、無線基地局Ｓ-ｅＮＢとの間で、「ｅｘｔｅｎｄｅｄ  ＰＤＣＰ-ＳＮ」を用いたベアラが確立されている状態で、無線基地局Ｓ-ｅＮＢとの間の無線リンクにおけるＲＬＦを検出した場合、「ｅｘｔｅｎｄｅｄ  ＰＤＣＰ-ＳＮ」に対応していない無線基地局Ｔ-ｅＮＢとの間で、再接続手順を行うことによって、「従来のＰＤＣＰ-ＳＮ」を用いたベアラを確立し、「ｅｘｔｅｎｄｅｄ  ＰＤＣＰ-ＳＮ」についての設定及びＣＯＵＮＴ値をリセットするように構成されていることを要旨とする。
【００５７】
なお、上述したＣＯＵＮＴ値のリセットには、関連する状態変数のリセットも含まれるものとする。
【００５８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ｅＮＢ…無線基地局
ＵＥ…移動局
１１、２１…再接続手順部
【図１】
2014023044.tif 000003
【図２】
2014023044.tif 000004
【図３】
2014023044.tif 000005
【図４】
2014023044.tif 000006
【図５】
2014023044.tif 000007
【図６】
2014023044.tif 000008
【図７】
2014023044.tif 000009
【図８】
2014023044.tif 000010
【図９】
2014023044.tif 000011
【図１０】
2014023044.tif 000012
【図１１】
2014023044.tif 000013
【図１２】
2014023044.tif 000014
【図１３】
2014023044.tif 000015
【図１４】
2014023044.tif 000016